(57)【要約】【課題】  簡便且つ確実に特定個人の識別データを登録または抹消する装置の提供。【解決手段】出入管理システムの個人識別データ登録または抹消装置５０は、個人識別データを登録または抹消しようとする個人を選択する選択手段５１と、個人識別データの登録または抹消を開始する開始手段５２と、前記選択手段によって前記個人を選択し、前記開始手段によって前記個人識別データの登録または抹消を開始してから、一定時間内に、新たな個人識別データが入力されたときは、前記個人の個人識別データを新たな個人識別データに書き換え、前記開始手段によって前記個人識別データの登録または抹消を開始してから、前記一定時間内に、新たな個人識別データが入力されないときは、前記個人の個人識別データを削除する手段とを、備えている。【選択図】図５
2006299638.tif 000002
【特許請求の範囲】
【請求項１】
個人識別データを登録または抹消しようとする個人を選択する選択ステップと、個人識別データの登録または抹消を開始する開始ステップと、前記選択ステップによって前記個人を選択し、前記開始ステップによって前記個人識別データの登録または抹消を開始してから、一定時間内に、新たな個人識別データが入力されたときは、前記個人の個人識別データを新たな個人識別データに書き換え、前記開始ステップによって前記個人識別データの登録または抹消を開始してから、前記一定時間内に、新たな個人識別データが入力されないときは、前記個人の個人識別データを削除するステップとを含むことを特徴とする出入管理システムの個人識別データ登録または抹消方法。
【請求項２】
個人識別データを登録または抹消しようとする個人を選択する選択手段と、個人識別データの登録または抹消を開始する開始手段と、前記選択手段によって前記個人を選択し、前記開始手段によって前記個人識別データの登録または抹消を開始してから、一定時間内に、新たな個人識別データが入力されたときは、前記個人の個人識別データを新たな個人識別データに書き換え、前記開始手段によって前記個人識別データの登録または抹消を開始してから、前記一定時間内に、新たな個人識別データが入力されないときは、前記個人の個人識別データを削除する手段とを備えたことを特徴とする出入管理システムの個人識別データ登録または抹消装置。
【発明の詳細な説明】
【技術分野】
【０００１】
本発明は、家庭や小規模オフィスなど出入をするものが少数に限定される出入管理システムの個人識別データ登録または抹消の方法及び装置に関するものである。
【背景技術】
【０００２】
出入管理システムは、例えば、特許文献１に開示されている。
【０００３】
従来、個人識別データを用いた出入管理システムは、主に研究所やオフィスの重要場所など企業情報の漏洩を防止する必要がある施設、あるいは一部の工場など一定の危険度を有する施設などに使用されていた。
【０００４】
使用されている個人識別データとしては、磁気カード、ＩＣ(Integrated Circuit)カードなどの個人ＩＤ(Identification)カード、指紋、声紋、虹彩、静脈パターンなどの個人の生体特徴などがある。
【０００５】
そして、セキュリティー意識の高まり、広まりとともに出入管理システムは特定の企業や工場などだけでなく小規模のオフィスや一般の家屋、マンションなどでも使用されるようになってきている。これは、カム送りなど機械的な錠の不正解錠技術の進歩に加え、機械的な鍵が本来持っている複製の容易さと言う性格にも、一般個人が利便性よりも不安をより強く感じるようになったことがその背景にある。
【０００６】
個人識別データを使用した出入管理システムは、セキュリティー上、出入状況の管理上の有用性は高く評価されながら、小規模のオフィスや店舗、一般家屋やマンションなどに広く使用されているとは言い難い。その理由の一つは、設置コストが機械的な錠に比べ高額なこと、もう一つは取り扱いが煩雑な事と言える。
【０００７】
本発明は、小規模の出入管理システムの普及を妨げている要因の一つである取り扱いの煩雑さを解決し、出入管理システムの普及を計る事を目的としている。
【０００８】
そもそも出入管理システムは、通常の取り扱いについては特に面倒でもなく、専門的な知識を要求されるものではないが、ＩＤカードを紛失した、指に傷を付けて指紋が読み取りにくくなったなど、個人識別データの再登録が必要な局面や社員が退社した、家族が死亡したなど、個人識別データの末梢が必要になることは、比較的しばしば出現するにもかかわらず、従来の多くのシステムではシステムに管理ＰＣ(Personal Computer)を接続して画面上の操作で個人識別データの登録や抹消を行うこととなり、専門のオペレーターを有さない小規模システムでは面倒、且つ専門的なものと受け取られる傾向にあった。
【０００９】
【特許文献１】特開２００１−２４１２２６号公報
【発明の開示】
【発明が解決しようとする課題】
【００１０】
本発明の目的は、個人識別データの登録または抹消を行う手順を簡素化し、管理ＰＣを必要とせず、簡便且つ確実に特定個人の識別データを登録または抹消する方法及び装置を提供することにある。
【課題を解決するための手段】
【００１１】
本発明によれば、個人識別データを登録または抹消しようとする個人を選択する選択ステップと、個人識別データの登録または抹消を開始するステップと、前記選択ステップによって前記個人を選択し、前記開始ステップによって前記個人識別データの登録または抹消を開始してから、一定時間内に、新たな個人識別データが入力されたときは、前記個人の個人識別データを新たな個人識別データに書き換え、前記開始ステップによって前記個人識別データの登録または抹消を開始してから、前記一定時間内に、新たな個人識別データが入力されないときは、前記個人の個人識別データを削除するステップとを含むことを特徴とする出入管理システムの個人識別データ登録または抹消方法が得られる。
【００１２】
更に、本発明によれば、個人識別データを登録または抹消しようとする個人を選択する選択手段と、個人識別データの登録または抹消を開始する開始手段と、前記選択手段によって前記個人を選択し、前記開始手段によって前記個人識別データの登録または抹消を開始してから、一定時間内に、新たな個人識別データが入力されたときは、前記個人の個人識別データを新たな個人識別データに書き換え、前記開始手段によって前記個人識別データの登録または抹消を開始してから、前記一定時間内に、新たな個人識別データが入力されないときは、前記個人の個人識別データを削除する手段とを備えたことを特徴とする出入管理システムの個人識別データ登録または抹消装置が得られる。
【発明の効果】
【００１３】
本発明によれば、個人識別データの登録または抹消を行う手順を簡素化し、管理ＰＣを必要とせず、簡便且つ確実に特定個人の識別データを登録または抹消することができる。
【発明を実施するための最良の形態】
【００１４】
次に本発明の実施例について図面を参照して説明する。
【００１５】
まず、図１を参照して、本発明のよりよき理解のために、一般的な出入管理システムについて説明する。
【００１６】
図１の出入管理システムは、個人識別媒体として非接触カードを用いた出入管理システムであり、図２は図１の出入管理システムのブロックダイアグラムである。
【００１７】
前述のように個人識別媒体としては、非接触カードのほかに磁気カードなどのＩＤカード、指紋や静脈パターンなどの生体特長が使われるが、システムの構成、効果はほとんど同一である。
【００１８】
図１で、１は管理された部屋の入口であるドア、２は非接触カードリーダ、３はドアに設置された電気錠である。
【００１９】
ドア１にはクローザが取り付けられており開いたドアは自然に閉まるようになっている。これは人が通過してあとでドアが開け放しになるのを防ぐためである。
【００２０】
非接触カードリーダ２はドアの近傍のカードをかざしやすい高さ、一般には床面から１２００ｍｍ〜１５００ｍｍに設置される。
【００２１】
また図２で、２は非接触カードリーダ、２２はシステムに登録済みの非接触カード、２３はコントローラ、３はドアに取り付けられた電気錠、５は管理用ＰＣである。
【００２２】
非接触カードリーダ１は常時カードデータを読み取る体勢にあって、近づけられたカードのデータをほぼ瞬時に読み取り、そのデータをコントローラ２３に送信する。コントローラ２３は内部に既登録のカードデータを収納しており、カードリーダ２から送られたカードデータが既登録のものか否かを照合、判定する。判定の結果、送られたカードデータが既登録のものであり、現在そのドア１を通過できる設定になっていれば、電気錠３を一定時間駆動して解錠するとともに得られたカードデータを管理用ＰＣ５に送信する。管理用ＰＣ５はカードデータからそのカードの所持者を検索し画面に表示する。
【００２３】
コントローラ２３が電気錠３を駆動する時間は数秒から数十秒に設定され、電気錠３の駆動時間が経過すると電気錠３は再び施錠される。このようなシステムではカード保持者の通過情報以外にドアの開け放し、電気錠の故障、ドアのこじ開けなども表示できるものが多い。
【００２４】
また、簡便なシステムではコントローラ２３を省いてカードリーダ２、もしくは管理用ＰＣ５でカードデータの照合を行うものがあり、カードリーダ２或いは管理用ＰＣ５で電気錠３を駆動するシステムもある。
【００２５】
本システムでは、管理用ＰＣ５が常時接続されていて、管理用ソフトの登録、抹消の画面から個人識別データの登録や抹消が行われる。このようなシステムでは個人識別データを取り扱う人数も多いので大量の登録、抹消を効率よく行う工夫が施されていて、一定以上の規模のシステムの場合は使い勝手がよい。
【００２６】
しかし、このようなシステムを一般の家屋やマンション、小規模オフィスや商店などで使用する場合、比較的設置コストが高額になってしまうという欠点があった。当然、登録、抹消を行うときだけＰＣ５を接続しても良いがＰＣ５に収納するソフトが必要であり、ＰＣ５を接続する手間もかかるので、カードを無くしてすぐ抹消というわけにはいきにくい。
【００２７】
また、マンションなどでは登録、抹消ができるソフトを収納したＰＣ５を管理人に預けておき、管理人がその操作を行うようにしても良いが、面倒でもあり夜間など管理人が必ずすぐ来てくれるとは限らず、結果としてカード紛失した場合などの抹消などに時間がかかって出入管理システムが持っている高度のセキュリティー性能を低下させる可能性がある。
【００２８】
さらに、個人識別データの登録、抹消は、日常頻繁に行われる操作ではないので、専門のオペレーターがいない一般家庭などでは操作方法を忘れやすく、カードシステムの普及のためにはより簡便で間違いの起きない個人識別データの登録、抹消方法が求められる。
【００２９】
そこで、本発明は、利用者が簡便に個人識別データの登録または抹消を行う方法及び装置を提供し、個人宅などに出入管理システムを設置した場合でも速やかにデータの登録または抹消を行える出入管理システムとするものである。
【００３０】
図３は、個人識別媒体として非接触カードを用いた本発明による出入管理システム（カードシステム）であり、図４は図３の出入管理システム（カードシステム）のブロックダイアグラムである。
【００３１】
図３で、１はマンションなどの部屋の入口であるドア、３２は非接触カードリーダのアンテナ部、３はドア１に設置された電気錠である。
【００３２】
ドア１は、電気錠３により施錠されるが、内側からはノブをまわすなどして自由に開けることが出来ることが多いが、ドアの内側にも非接触カードリーダを設け、内側からでるときもカードを必要とするシステムとしても良い。
【００３３】
また、図４で、３２は非接触カードリーダのアンテナ部、４２は室内に設置された非接触カードリーダの制御部、３はドア１に設置された電気錠である。
【００３４】
アンテナ部３２と制御部４２との間及び電気錠３と制御部４２との間は、電源供給と通信のための電線４で接続されている。
【００３５】
非接触カードリーダの制御部４２には次の機能が具備されている。
【００３６】
（１）  非接触カードの登録または抹消機能（以下に詳述する）。  
（２）  非接触カードのデータを登録データと照合し、登録されているデータの場合には一定時間、電気錠３を解錠する機能。  
（３）  電気錠３の解錠信号、ドア１の開扉信号を受け入れる機能。  
（４）  電気錠の故障時、ドア１開放時、ドア１こじ開け時に警報を発する機能。  
（５）  入室記録保持機能（ＰＣ接続時には画面で確認可能であって、本発明実施に不可欠な要素ではない）。  
（６）  停電時電源バックアップバッテリー。
【００３７】
図５は、制御部４２（図４）に設けられる、本発明の特徴とする、登録または抹消操作部５０を示す図である。
【００３８】
図５の登録または抹消操作部５０において、５１は個人識別データを登録または抹消する人を選択するロータリースイッチからなる選択スイッチで、図５では５人迄選択できる。５２は登録または抹消を開始する押しボタンからなる開始スイッチである。これらのスイッチは、上述のとおり、制御部４２（図４）に設けられている。
【００３９】
図５をもとに本発明の動作を説明する。
【００４０】
ある個人の個人識別データを登録する際には、まず選択スイッチ５１を回して登録したい人に合わせる。選択スイッチ５１には個人を表す番号が付されているがスイッチ停止位置に個人名を書き込んだシールを貼ればより間違いを防げる。
【００４１】
次に、登録または抹消を開始する開始スイッチ（押しボタンスイッチ）５２を押して登録作業を開始する。その後、一定時間（１０秒から数十秒に設定される）のあいだに登録するカードをカードリーダのアンテナ部３２にかざし、カードデータを読み込ませると、そのデータが登録した個人の個人識別データとして設定される。登録または抹消を開始する開始スイッチ（押しボタン）５２を照光式にして、登録可能な一定時間の間は点灯させたり、登録可能な一定時間はブザーが鳴るなどの方法をとればより間違いが防げる。
【００４２】
もし、登録する個人にすでに個人識別データが設定されている場合は、上記操作で新たにカードリーダに読み込ませたデータが上書きされ、個人識別データが変更される。
【００４３】
ある個人の個人識別データを抹消する場合は、登録または抹消を開始する開始スイッチ（押しボタン）５２を押した後、カードリーダのアンテナ部３２にカードをかざさずに一定時間が経過すると、設定されていた個人識別データが削除される。この例では個人識別データとして非接触カードを使用しているが、他の種類のＩＤカードや指紋、虹彩などの生体特長を利用したシステムでも同様の操作でデータの登録または抹消を行うことができるが、生体特長を利用したシステムでは登録または抹消を行うときに本人がその場にいることが必要なことはいうまでもない。
【００４４】
図５では個人識別データを登録、抹消する人を選択する選択スイッチ５１にロータリースイッチを使用しているが、これは選択する人が数人の場合に便利でわかりやすい。
【００４５】
選択する人の数がさらに多く数十人になる場合には、ディップスイッチを使用すれば少ないスイッチで多くの選択が可能になる。
【００４６】
図６は、図５の登録または抹消操作部５０の代りに用いられる、別の登録または抹消操作部を示している。図６の登録または抹消操作部５０は、ディップスイッチを使用した登録または抹消操作部である。
【００４７】
図６では、５１として、５個のスイッチ６１〜６５を使い３１人までの登録、抹消を可能にしている。
【００４８】
この方法はスイッチを増やせば等比級数で登録、抹消が可能な人数を増やすことができ、比較的多人数のシステムに有効である。
【００４９】
図７は、図５の登録または抹消操作部５０の代りに用いられる、更に別の登録または抹消操作部を示している。図７の登録または抹消操作部５０は、個人識別データを登録または抹消する人を選択する選択スイッチと登録または抹消を開始する開始スイッチを兼用した登録、抹消操作部である。
【００５０】
図７で、５１−１〜５１−５は、押しボタンスイッチで、登録または抹消をする人を選択する選択スイッチと登録または抹消を開始する開始スイッチ（押しボタン）とを兼ねており、何れかの押しボタンを押すとその人のカードの登録または抹消が一定時間可能となる。
【００５１】
７１−１〜７１−５は、各々の名前などを書き込むプレートで、選択する人が数人程度の一般家庭やマンションなどではこの方法が扱いやすく間違いが少ない。さらに、前記のようにスイッチを照光式にしたり、一定時間でブザーを鳴らしたりすれば、より間違いが防げる。
【００５２】
このように本発明を利用すれば、個人識別データの登録または抹消が簡単な同一の流れの操作で行うことができるだけでなく、カードの登録または抹消がカードリーダの制御部４２（図４）で行えるため、カードを紛失した際などには速やかにそのカードを使用不能にして、拾得カードによる犯罪を防止することができる。また、本発明を付加するコストも従来と比較して低コストとなるので、より扱いやすく低コストでセキュリティー性能の高い小規模出入管理システムを提供が可能になる。
【図面の簡単な説明】
【００５３】
【図１】一般的な出入管理システムを示した図である。
【図２】図１の出入管理システムのブロックダイアグラムである。
【図３】本発明の一実施例による出入管理システム（カードシステム）を示した図である。
【図４】図３の出入管理システム（カードシステム）のブロックダイアグラムである。
【図５】図４の出入管理システムの制御部に設けられる、本発明の特徴とする、登録または抹消操作部を示す図である。
【図６】図５の登録または抹消操作部の代りに用いられる、他の登録または抹消操作部を示す図である。
【図７】図５の登録または抹消操作部の代りに用いられる、更に他の登録または抹消操作部を示す図である。
【符号の説明】
【００５４】
１    ドア
２    非接触カードリーダ
３  電気錠
２３    コントローラ
５    管理用ＰＣ
３２    非接触カードリーダのアンテナ部
４２    制御部
５０    登録または抹消操作部
５１    選択スイッチ
５２    開始スイッチ
５１−１〜５１−５    押しボタンスイッチ
７１−１〜７１−５    プレート
【図１】
2006299638.tif 000003
【図２】
2006299638.tif 000004
【図３】
2006299638.tif 000005
【図４】
2006299638.tif 000006
【図５】
2006299638.tif 000007
【図６】
2006299638.tif 000008
【図７】
2006299638.tif 000009